(57)【特許請求の範囲】
【請求項１】
小便器のボウル部に水を吐水する洗浄水供給部と、
前記ボウル部の内部の空間に水を散水する洗浄水散水部と、
前記洗浄水散水部に流れる流路に接続され、機能水を生成する機能水生成部と、
前記洗浄水供給部と、前記洗浄水散水部と、前記機能水生成部と、を制御する制御部と、
を備えた小便器装置であって、
前記制御部は、
前記小便器が使用された際に前記洗浄水供給部から水を吐水する第１洗浄モードと、
前記第１洗浄モードと異なるタイミングで、前記第１洗浄モードよりも多くの水を、前記洗浄水供給部から吐水する第２洗浄モードと、
前記第１洗浄モードと異なるタイミングで、前記洗浄水散水部から、前記機能水生成部を用いて生成された機能水を散水する散水洗浄モードと、
を有することを特徴とする小便器装置。
【請求項２】
前記散水洗浄モードは、
前記第１洗浄モードが実行された後に、前記洗浄水散水部から水を散水する第１散水洗浄モードと、
前記第１散水洗浄モードと異なるタイミングで、前記洗浄水散水部から、前記機能水生成部を用いて生成された前記機能水を散水する第２散水洗浄モードと、
を有し、
前記第２散水洗浄モードにおいて前記洗浄水散水部から前記機能水が散水される時間は、前記第１散水洗浄モードにおいて前記洗浄水散水部から前記水が散水される時間よりも長いことを特徴とする請求項１記載の小便器装置。
【請求項３】
前記散水洗浄モードにおける前記洗浄水散水部からの前記機能水の散水は、前記第２洗浄モードにおける前記洗浄水供給部からの前記水の吐水以降に行われることを特徴とする請求項１または２に記載の小便器装置。
【請求項４】
前記散水洗浄モードにおける前記洗浄水散水部からの前記機能水の散水は、前記第２洗浄モードにおける前記洗浄水供給部からの前記水の吐水が完了した後に行われることを特徴とする請求項３記載の小便器装置。
【請求項５】
前記小便器の前方における人体の有無を検知する検知部をさらに備え、
前記制御部は、前記散水洗浄モードの実行時に、前記検知部により人体が検知された場合、前記洗浄水散水部から前記機能水を散水しないことを特徴とする請求項１〜４のいずれか１つに記載の小便器装置。
【請求項６】
前記制御部は、前記散水洗浄モードの実行時に、前記検知部により前記人体が検知されなくなった場合に、前記洗浄水散水部から前記機能水の散水を開始することを特徴とする請求項５記載の小便器装置。
【発明の詳細な説明】
【技術分野】
【０００１】
本発明の態様は、一般的に、小便器装置に関する。
【背景技術】
【０００２】
尿石などの汚れの付着を抑制するため、所定のタイミングで酸性水や大流量の洗浄水を小便器に流す小便器装置がある。このタイミングは、例えば、小便器の使用回数や、所定の時刻などに基づく。特許文献１には、酸性水を供給するためのタイミングの一例が開示されている。
一方、小便器の汚れは、菌によって引き起こされる。特許文献２には、除菌のために、小便器に殺菌水を供給する方法が開示されている。
【先行技術文献】
【特許文献】
【０００３】
【特許文献１】特開２００７−３２１３７２号公報
【特許文献２】特開平１１−１５２７７５号公報
【発明の概要】
【発明が解決しようとする課題】
【０００４】
しかし、汚れの付着の抑制および除菌の両方を効率よく行うには、未だ改善の余地がある。
本発明は、かかる課題の認識に基づいてなされたものであり、汚れの付着の抑制および除菌を効率よく行うことができる小便器装置を提供することを目的とする。
【課題を解決するための手段】
【０００５】
第１の発明は、小便器のボウル部に水を吐水する洗浄水供給部と、前記ボウル部の内部の空間に水を散水する洗浄水散水部と、前記洗浄水散水部に流れる流路に接続され、機能水を生成する機能水生成部と、前記洗浄水供給部と、前記洗浄水散水部と、前記機能水生成部と、を制御する制御部と、を備えた小便器装置であって、前記制御部は、前記小便器が使用された際に前記洗浄水供給部から水を吐水する第１洗浄モードと、前記第１洗浄モードと異なるタイミングで、前記第１洗浄モードよりも多くの水を、前記洗浄水供給部から吐水する第２洗浄モードと、前記第１洗浄モードと異なるタイミングで、前記洗浄水散水部から、前記機能水生成部を用いて生成された機能水を散水する散水洗浄モードと、を有することを特徴とする小便器装置である。
【０００６】
この小便器装置によれば、第１洗浄モード及び第２洗浄モードにおいて汚れの付着を抑制し、散水洗浄モードにおいて機能水の散水によって除菌を行いつつ、ボウル部の内部空間の臭いを抑制できる。
【０００７】
第２の発明は、第１の発明において、前記散水洗浄モードは、前記第１洗浄モードが実行された後に、前記洗浄水散水部から水を散水する第１散水洗浄モードと、前記第１散水洗浄モードと異なるタイミングで、前記洗浄水散水部から、前記機能水生成部を用いて生成された前記機能水を散水する第２散水洗浄モードと、を有し、前記第２散水洗浄モードにおいて前記洗浄水散水部から前記機能水が散水される時間は、前記第１散水洗浄モードにおいて前記洗浄水散水部から前記水が散水される時間よりも長いことを特徴とする小便器装置である。
【０００８】
この小便器装置によれば、第２散水洗浄モードにおいて機能水が散水される時間が長いため、ボウル部を十分に除菌することができる。
【０００９】
第３の発明は、第１または第２の発明において、前記散水洗浄モードにおける前記洗浄水散水部からの前記機能水の散水は、前記第２洗浄モードにおける前記洗浄水供給部からの前記水の吐水以降に行われることを特徴とする小便器装置である。
【００１０】
この小便器装置によれば、洗浄水供給部からの吐水によってボウル部の汚れを流した後に、洗浄水散水部から機能水が散水されるため、より効果的に除菌することが可能である。
【００１１】
第４の発明は、第３の発明において、前記散水洗浄モードにおける前記洗浄水散水部からの前記機能水の散水は、前記第２洗浄モードにおける前記洗浄水供給部からの前記水の吐水が完了した後に行われることを特徴とする小便器装置である。
【００１２】
この小便器装置によれば、洗浄水供給部からの水の吐水が完了した後に、機能水を散水することで、機能水が洗浄水供給部からの水によって流されてしまうことを回避することができる。これにより、ボウル部の内面により長い時間機能水を散水することが可能になるとともに、ボウル部の内面のより広い範囲を機能水によりコーティングすることが可能となる。このため、効果的に除菌が行えるとともに、散水洗浄モードが完了した後においても、ボウル部における菌の繁殖が抑制される。
【００１３】
第５の発明は、第１〜第４の発明のいずれかにおいて、前記小便器の前方における人体の有無を検知する人体検知部をさらに備え、前記制御部は、前記散水洗浄モードの実行時に、前記人体検知部により人体が検知された場合、前記洗浄水散水部から前記機能水を散水しないことを特徴とする小便器装置である。
【００１４】
この小便器装置によれば、機能水が人体に掛かってしまう可能性を低減することが可能である。
【００１５】
第６の発明は、第５の発明において、前記制御部は、前記散水洗浄モードの実行時に、前記人体検知部により前記人体が検知されなくなった場合に、前記洗浄水散水部から前記機能水の散水を開始することを特徴とする小便器装置である。
【００１６】
この小便器装置によれば、小便器装置の前方を使用者が通り過ぎた後に、または使用者が小便器装置の使用を終えた後に、散水を行うため、ボウル部の除菌を効率的に行うことが可能である。
【発明の効果】
【００１９】
本発明の態様によれば、汚れの付着の抑制および除菌を効率よく行うことが可能な小便器装置が提供される。
【図面の簡単な説明】
【００２０】
【図１】実施形態にかかる小便器装置の要部構成を表すブロック図である。
【図２】実施形態にかかる小便器装置を表す正面図及び断面図である。
【図３】実施形態の洗浄水供給部および洗浄水散水部の具体例を例示する斜視図および断面図である。
【図４】実施形態にかかる人体検知部及び制御部の動作を例示する平面図である。
【図５】実施形態にかかる小便器装置の動作を例示するフローチャートである。
【図６】実施形態にかかる小便器装置の動作を例示するフローチャートである。
【図７】実施形態にかかる小便器装置の動作を例示するフローチャートである。
【図８】実施形態にかかる小便器装置の動作を例示するフローチャートである。
【図９】実施形態にかかる小便器装置の動作を例示するフローチャートである。
【図１０】実施形態にかかる小便器装置の動作を例示するタイミングチャートである。
【図１１】実施形態にかかる小便器装置の動作を例示するタイミングチャートである。
【図１２】実施形態にかかる小便器装置の動作を例示するタイミングチャートである。
【図１３】実施形態にかかる小便器装置の動作を例示するタイミングチャートである。
【図１４】実施形態の変形例にかかる小便器装置の要部構成を表すブロック図である。
【図１５】実施形態の変形例にかかる小便器装置の動作を例示するフローチャートである。
【図１６】実施形態の変形例にかかる小便器装置の動作を例示するタイミングチャートである。
【発明を実施するための形態】
【００２１】
以下、本発明の実施の形態について図面を参照しつつ説明する。なお、各図面中、同様の構成要素には同一の符号を付して詳細な説明は適宜省略する。
【００２２】
図１は、実施形態にかかる小便器装置の要部構成を表すブロック図である。
すなわち、図１は、小便器装置１０の水路系と電気系の要部構成を表している。
【００２３】
小便器装置１０は、給水機能部１００と、を備える。小便器装置１０は、小便器２１０をさらに備えてもよい。小便器２１０は、男性用小便器である。小便器２１０は、ボウル部２１１（図２参照）と、トラップ部２１３と、を有する。トラップ部２１３は、ボウル部２１１の下部に設けられ、トラップ部２１３自身の内部において封水を形成する。これにより、トラップ部２１３は、小便器装置１０の後方に設けられた図示しない横引排水配管などから悪臭や害虫類などがトイレ室に侵入することを防止することができる。トラップ部２１３には、尿および水が流れ込む。
【００２４】
給水機能部１００は、制御部１１０と、人体検知部１２０と、流路切替弁１３０と、洗浄水供給部１４０と、機能水生成部１５０と、洗浄水散水部１６０と、を有する。給水機能部１００は、小便器２１０と別に形成され、小便器２１０に取り付けられてもよいし、小便器２１０と一体に形成されてもよい。
【００２５】
流路切替弁１３０は、制御部１１０から送信された信号に基づいて、図示しない給水源（例えば水道あるいはタンクなど）から供給された水が洗浄水供給部１４０へ導かれる状態と、給水源から供給された水が洗浄水散水部１６０へ導かれる状態と、を切り替える。流路切替弁１３０は、洗浄水供給部１４０への給水と洗浄水散水部１６０への給水とを個別に切り替える。流路切替弁１３０は、洗浄水供給部１４０及び洗浄水散水部１６０のいずれか一方のみに給水することができるとともに、洗浄水供給部１４０及び洗浄水散水部１６０の双方に給水することができる。
【００２６】
洗浄水供給部１４０は、スプレッダ１４１を有する。洗浄水供給部１４０は、流路切替弁１３０を介して給水源から供給された水を、スプレッダ１４１から小便器２１０のボウル部２１１に向けて吐水する。図１に表したように、給水源から洗浄水供給部１４０に供給される水は、機能水生成部１５０を通過しない。そのため、洗浄水供給部１４０は、給水源から供給された水であって機能水ではない水（以下、この水を「真水」と称する。）を小便器２１０のボウル部２１１に吐水する。つまり、図１に表した例では、機能水は、洗浄水供給部１４０がボウル部２１１に吐水する水としては利用されない。真水は、給水源から供給される水道水や雑用水である。
【００２７】
洗浄水散水部１６０は、散水部１６１を有する。散水部１６１には、散水孔１６１ａが設けられている。散水孔１６１ａの数は、図１に表したように１つには限定されない。洗浄水散水部１６０は、機能水生成部１５０において生成された機能水であって液滴化された機能水を散水部１６１の散水孔１６１ａから小便器２１０のボウル部２１１の内部空間に供給する。散水孔１６１ａから小便器２１０のボウル部２１１に供給された機能水は、アンモニアを溶解することができる。洗浄水散水部１６０が散水する液滴化された機能水の径は、例えば約１０マイクロメートル（μｍ）以上１２００μｍ以下程度である。洗浄水散水部１６０の散水する水は、機能水に限ることなく、真水でもよい。例えば、小便器２１０の使用前に数μｍの径を有する真水をボウル部２１１に向けミスト状に散水すれば、ボウル部２１１の内部空間に漂う臭気を抑制することができる。また、小便器２１０の側面や周辺の床に真水が付着した場合でも、散水時間が短ければ極微量であるため比較的早く乾き、使用者へ不快感を与えない。
【００２８】
ここで、アンモニアの発生のメカニズムは、例えば次の通りである。  
すなわち、小便器２１０に排尿がなされると、尿は、小便器２１０の表面に付着したり、トラップ部２１３の封水（滞留水）に滞留する。滞留した尿に、空気中や便器表面等に存在する一般細菌が付着する。一般細菌は尿から栄養を吸収し、ウレアーゼ酵素を出す活動が活性化され、ウレアーゼ酵素より尿素の分解抑制が促進される。尿素はアンモニアと二酸化炭素に分解され、そのアンモニアが悪臭の一因となる。また、発生したアンモニアにより、分解物の水素イオン濃度（ｐＨ）がアルカリ性に偏り、ｐＨが８．０から８．５を超えてアルカリ性に偏ると、尿中に溶解していたカルシウムイオンが、難溶性のカルシウム化合物（リン酸カルシウム等、また一般的に尿石と呼ばれる）になる。この尿石が菌の温床となり、加速度的にこれまでの過程を繰り返し、一層のアンモニアを発生させることとなる。
【００２９】
小便器２１０の表面に付着した尿やトラップ部２１３の封水に滞留した尿の菌が活性化するには、所定の時間がかかる。「所定の時間」とは、例えば約２時間以上である。そのため、尿が小便器２１０の表面に付着したり、トラップ部２１３の封水に滞留してから２時間未満であれば、ｐＨの上昇を抑え、臭いや尿石（汚れ）の発生を抑制することができる。
【００３０】
機能水生成部１５０は、洗浄水散水部１６０の上流の側に設けられている。図１に表した給水機能部１００では、機能水生成部１５０は、流路切替弁１３０と、洗浄水散水部１６０と、の間に設けられている。機能水生成部１５０は、制御部１１０から送信された信号に基づいて、流路切替弁１３０を介して給水源から供給された水により機能水を生成することができる。機能水は、アンモニアを溶解および分解することができる。
【００３１】
例えば、機能水生成部１５０は、電解槽を有する。電解槽の内部には、陽極板および陰極板が設けられている。機能水生成部１５０は、制御部１１０から送信される信号に基づいて、電解槽の内部を流れる水道水や雑用水を電気分解する。ここで、水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。そのため、塩化物イオンを電気分解することにより次亜塩素酸が生成される。その結果、機能水生成部１５０において電気分解された水（電解水）は、次亜塩素酸を含む液（機能水）に変化する。
【００３２】
次亜塩素酸は、例えば、消臭成分あるいは殺菌成分として機能する。次亜塩素酸を含む液は、アンモニアを溶解したり、分解したり、あるいは一般細菌などを減らしたりすることができる。
【００３３】
なお、本実施形態の機能水生成部１５０は、次亜塩素酸を含む液を生成することに限定されるわけではない。機能水生成部１５０において生成される機能水は、銀イオンや銅イオンなどの金属イオンを含む液であってもよい。あるいは、機能水生成部１５０において生成される機能水は、電解塩素やオゾンなどを含む液であってもよい。あるいは、機能水生成部１５０において生成される機能水は、酸性水やアルカリ水であってもよい。これらの中でも、次亜塩素酸を含む液は、アンモニアをより溶解および分解することができる。また、機能水生成部１５０は、電解槽と、陽極板と、陰極板と、を有する電解槽ユニットに限定されるわけではない。
【００３４】
機能水生成部１５０が制御部１１０から送信される信号に基づいて機能水を生成すると、洗浄水散水部１６０は、機能水生成部１５０において生成された機能水であって液滴化された機能水を散水孔１６１ａからボウル部２１１の内部空間に散水する。
【００３５】
洗浄水散水部１６０の散水部１６１からボウル部２１１の内部空間へ向け散水される機能水の水量は、ボウル部２１１に向けて散水される機能水の水量に対して１〜３割程度が好ましく、比較的少流量の水で小便器２１０の衛生性を効率よく維持できる。
【００３６】
人体検知部１２０は、小便器２１０の前方にいる人体、すなわち小便器２１０から前方へ離間した位置に存在する人体の検知を行う。言い換えれば、人体検知部１２０は、小便器２１０の使用を検知する。
【００３７】
人体検知部１２０は、人体の検知を行い、検知情報を制御部１１０に入力する。制御部１１０は、人体検知部１２０からの検知情報を基に、小便器２１０の前に人体がいるか否かを判定する。制御部１１０は、人体検知部１２０からの検知情報に基づく人体の存在の判定結果に応じて、流路切替弁１３０、洗浄水供給部１４０、機能水生成部１５０及び洗浄水散水部１６０などの各部の動作を制御する。
【００３８】
ここで、給水源から供給される水として、飲用に適する水道水が利用される場合がある一方で、水道水を使用した後の水（排水）を原水とする雑用水や、雨水を原水とする雑用水が利用される場合がある。雑用水（例えば「中水」）においては、水道水と比較して、最小限の水質管理がなされる場合がある。そのため、雑用水に含まれる有機物が比較的多い場合がある。雑用水に含まれる有機物が多いと、その有機物を栄養源とする菌や微生物が増殖し集合体を生成することがある。菌や微生物の集合体は、例えばバイオフィルムなどと呼ばれる。
【００３９】
バイオフィルムのサイズが大きくなると、散水部１６１の散水孔１６１ａがバイオフィルムの生成により詰まる場合がある。散水孔１６１ａの直径は、例えば約０．５ミリメートル（ｍｍ）以上、３ｍｍ以下程度である。散水孔１６１ａがバイオフィルムの生成により詰まると、散水孔１６１ａから散水される機能水の吐水方向が定まらず、ボウル部２１１の内部空間に散水することができない場合がある。すると、小便器２１０から発生する臭いや、小便器２１０に発生する汚れを抑制する程度が低減する。
【００４０】
これに対して、本実施形態の洗浄水散水部１６０は、機能水生成部１５０において生成された機能水であって液滴化された機能水を散水孔１６１ａからボウル部２１１の内部空間に散水する。これにより、雑用水中に含まれる菌や微生物を殺滅し、洗浄水散水部１６０の上流においてバイオフィルムが生成することを抑制することができる。そのため、洗浄水散水部１６０の散水孔１６１ａがバイオフィルムの生成により詰まることを抑制することができる。また、水が洗浄水散水部１６０から意図しない方向に散水されることを抑制することができる。
【００４１】
洗浄水散水部１６０から散水された機能水は、ボウル部２１１の内部に生成されたアンモニアおよびボウル部２１１の周辺に存在するアンモニアの少なくともいずれかを溶解し分解する。ボウル部２１１の周辺に存在するアンモニアとは、例えば、ボウル部２１１の周辺に漂うアンモニアあるいはボウル部２１１の周辺に浮遊しているアンモニアをいう。これにより、洗浄水散水部１６０は、小便器２１０から発生するアンモニアによる臭いを抑制することができる。また、洗浄水散水部１６０が機能水を散水すると、例えばアンモニアを溶解した水が小便器２１０の周りに付着し蒸発しても、アンモニアによる臭いが再び発生することを抑制することができる。
【００４２】
洗浄水供給部１４０は、例えば、小便器２１０のボウル部２１１に真水を供給し、小便器２１０に付着した尿を除去し、例えば体毛などの異物を除去する。また、洗浄水供給部１４０は、小便器２１０のトラップ部２１３に真水を供給し、トラップ部２１３の内部の封水を新たに供給された真水で置換することができる。
【００４３】
前述したように、洗浄水散水部１６０が散水する液滴化された水の径は、約１０μｍ以上である。これにより、洗浄水散水部１６０から散水された液滴が空間を浮遊し続ける程度が低くなり、意図しない空間まで飛散することを抑制することができる。そのため、洗浄水散水部１６０から散水された液滴により、使用者が濡れたり、小便器２１０の周りが濡れることを抑制することができる。また、洗浄水散水部１６０が散水する液滴化された水の径は、約１２００μｍ以下である。これにより、洗浄水散水部１６０から散水された液滴が比較的早く落下し、アンモニアを溶解する効果が低下することを抑制することができる。
【００４４】
ここで、水の径の数値の定義について述べる。洗浄水散水部１６０から散水される水の径は、一般的に一定の範囲を持っている。粒径の積算％の分布曲線が５０％の横軸と交差するポイントの粒子径（５０％径：一般的にメディアン径と呼ばれる）を、水の径とする。
【００４５】
図２（ａ）及び図２（ｂ）は、実施形態にかかる小便器装置を表す正面図及び断面図である。
図２（ｂ）は、図２（ａ）に表した切断面Ａ１−Ａ１における断面図である。  
図２（ａ）及び図２（ｂ）に表したように、小便器２１０のボウル部２１１は、立位面２１１ａと、ボウル面２１１ｂと、を有する。立位面２１１ａは、小便器２１０の使用者と対向する。すなわち、立位面２１１ａは、ボウル部２１１において前方を向く面である。ボウル面２１１ｂは、立位面２１１ａの下方に設けられる。ボウル面２１１ｂは、凹状に形成され、使用者の尿などを受ける。
【００４６】
また、ボウル部２１１は、ボウル面２１１ｂの上方を開放させている。立位面２１１ａは、ボウル面２１１ｂの後方から連続して上方に延びる。立位面２１１ａとボウル面２１１ｂとの間には、段差などが形成されていない。また、小便器２１０では、立位面２１１ａの上端が、小便器２１０の上端である。小便器２１０では、ボウル面２１１ｂの全体が、上方に開放されている。すなわち、ボウル部２１１では、立位面２１１ａの上に天板などが設けられていない。ボウル部２１１では、ボウル面２１１ｂの上方が天板などで覆われない。天板などを支えるための側板を必要としないため、排尿時に使用者に与える圧迫感を抑えることができ、小便器２１０に対するアプローチ性を高めることができる。側板を有する小便器と比較すると、使用者がより小便器２１０のボウル面２１１ｂへ接近できるため排尿時に床へ飛散する尿汚れを軽減し衛生性、快適性の向上を図れる。
【００４７】
洗浄水散水部１６０の散水部１６１は、立位面２１１ａの上部に設けられている。散水部１６１は、ボウル部２１１の下方へ液滴化された機能水を散水する。ここでいう「下方」とは、鉛直方向の下向きに限定されず、水平方向から下側の方向を含む。つまり、ここでいう「下方」とは、水平方向および水平方向よりも上側の方向を除く方向をいう。
【００４８】
散水部１６１から散水された機能水は、ボウル面２１１ｂの略全体にかかる。一方、立位面２１１ａでは、散水部１６１よりも上側の部分などにおいて、散水された機能水のかからない領域が生じる。このように、立位面２１１ａは、散水領域ＳＡと非散水領域ＮＡとを有する。散水領域ＳＡは、立位面２１１ａのうち、散水部１６１から散水された水がかかる領域である。非散水領域ＮＡは、立位面２１１ａのうち、散水領域ＳＡの上方の散水された水がかからない領域である。
【００４９】
人体検知部１２０は、立位面２１１ａの非散水領域ＮＡ又は非散水領域ＮＡの裏側のボウル部２１１の背面２１１ｃに設けられる。換言すれば、人体検知部１２０は、ボウル部２１１のうち、前後方向において非散水領域ＮＡと重なる位置に配置される。すなわち、人体検知部１２０は、立位面２１１ａのうち、散水された水のかからない領域に配置される。人体検知部１２０は、例えば、散水部１６１の上方に配置される。人体検知部１２０の位置は、これに限ることなく、非散水領域ＮＡと重なる任意の位置でよい。
【００５０】
この例において、人体検知部１２０は、立位面２１１ａの背面２１１ｃ側に設けられる。人体検知部１２０には、例えば、電波によるドップラー効果を利用したセンサ（マイクロ波センサ）が用いられる。ボウル部２１１には、一般的に陶磁器が用いられる。マイクロ波センサに用いられるマイクロ波は、陶磁器製のボウル部２１１を透過する。従って、マイクロ波センサを人体検知部１２０に用いた場合には、背面２１１ｃ側に配置した場合でも、適切に人体を検知することができる。マイクロ波センサを人体検知部１２０として用いる場合、マイクロ波の周波数はＧＨｚ（ギガヘルツ）帯が好ましく、例えば、１０．５０ＧＨｚ以上１０．５５ＧＨｚ以下、２４．０５ＧＨｚ以上２４．２５ＧＨｚ以下である。
【００５１】
人体検知部１２０は、立位面２１１ａ側に設けてもよい。この場合、人体検知部１２０には、例えば、赤外線投受光式センサ（赤外線センサ）や、焦電方式センサ（焦電センサ）などを用いてもよい。
【００５２】
このように、散水部１６１は、ボウル部２１１の上部から下方へ液滴化された機能水を散水する。これにより、ボウル部２１１の内部には、散水部１６１から下方へ向かう気流が発生する。そのため、ボウル部２１１の内部で発生した気流は、アンモニアの上昇を抑えることができる。また、散水部１６１から散水された機能水は、アンモニアを溶解し、アンモニアを無臭物質に分解する。これにより、小便器２１０から発生するアンモニアによる臭いを使用者に感じにくくさせることができる。
【００５３】
また、散水部１６１が液滴化された機能水を散水することにより、ボウル部２１１の表面にあるアンモニア発生源付近のアンモニアによる臭いを抑制することができることに加え、液滴が空間を通過する際に、空間中に存在するアンモニアによる臭いをも抑制することができる。さらに、単位水量あたりの水の表面積については、洗浄水供給部１４０から供給されるボウル部２１１の表面を伝う水の状態よりも、液滴化された水において著しく広くすることができる。結果、機能水がアンモニアと接触する面積を増やし、効率的に臭いを抑制することができる。空間中に存在する臭いは、尿を起因とするアンモニアのみならず、使用者が排尿した後の尿そのものの臭い（例えばコーヒー臭などのような摂取した食物由来の臭い）もある。その臭いについても、液滴化された機能水の散水により臭いを抑制することが可能である。
【００５４】
図３（ａ）〜図３（ｃ）は、実施形態の洗浄水供給部および洗浄水散水部の具体例を例示する斜視図および断面図である。
具体的には、図３（ａ）は、洗浄水供給部および洗浄水散水部の具体例を例示する斜視図である。図３（ｂ）は、図３（ａ）に表した切断面Ａ２−Ａ２における断面図である。図３（ｃ）は、図３（ａ）に表した切断面Ａ３−Ａ３における断面図である。
【００５５】
図３（ａ）〜図３（ｃ）に表したように、洗浄水供給部１４０及び洗浄水散水部１６０は、互いに一体化されている。図３（ｂ）に表したように、洗浄水供給部１４０は、スプレッダ１４１を有する。スプレッダ１４１の内部には、スプレッダ流路１４３が設けられている。図３（ｂ）および図３（ｃ）に表したように、スプレッダ流路１４３の一端には、吐水口１４５が形成されている。スプレッダ流路１４３を通して導かれた水は、吐水口１４５から吐水され、小便器２１０のボウル部２１１に供給される。
【００５６】
このように、洗浄水供給部１４０は、洗浄水散水部１６０とともに、立位面２１１ａの上部に設けられる。洗浄水供給部１４０から吐出された水は、立位面２１１ａに沿って下方に流れ、ボウル面２１１ｂに至る。
【００５７】
立位面２１１ａは、洗浄水供給部１４０から吐出された水が流れる吐水領域ＷＡをさらに有する。吐水領域ＷＡは、散水領域ＳＡよりも狭い。吐水領域ＷＡは、散水領域ＳＡの中に含まれる。すなわち、人体検知部１２０は、散水領域ＳＡ及び吐水領域ＷＡのそれぞれと重ならない位置に配置される。人体検知部１２０は、洗浄水供給部１４０から吐出された水、及び、洗浄水散水部１６０から散水された水のそれぞれがかからない位置に配置される。洗浄水供給部１４０及び洗浄水散水部１６０は、個別に小便器２１０に設けてもよい。
【００５８】
洗浄水散水部１６０は、散水部１６１と、チューブ１６３と、を有する。散水部１６１は、例えばノズルなどを有し、チューブ１６３の一端に接続されている。散水部１６１は、散水孔１６１ａを有する。散水部１６１は、液滴化された水を散水孔１６１ａから散水する。例えば、散水孔１６１ａは、散水部１６１の内部から外部へ向かって径が広がった形状を有する。例えば、散水孔１６１ａの第１の直径Ｄ１は、約０．５ｍｍ以上０．８ｍｍ以下程度である。例えば、散水孔１６１ａの第２の直径Ｄ２は、約２．７ｍｍ以上３．０ｍｍ以下程度である。チューブ１６３を通して導かれた機能水は、液滴化された機能水として散水部１６１から散水され小便器２１０のボウル部２１１に供給される。
【００５９】
図４は、実施形態にかかる人体検知部及び制御部の動作を例示する平面図である。
図４に表したように、人体検知部１２０は、左右方向に広がりを持つ所定の範囲（以下、便宜的に「検知範囲ＤＲ」と称す）において、人体Ｍを検知する。これにより、例えば、小便器２１０の側方から近づく人体Ｍを早期に検知することができる。人体検知部１２０の検知範囲ＤＲの左右方向の幅は、例えば、ボウル部２１１の左右方向の幅よりも広い。
【００６０】
検知範囲ＤＲの広がり角は、例えば、±５０°（±１０°以上±６０°以下）である。検知範囲ＤＲの半径は、例えば、０．５ｍ以上１．５ｍ以下である。これにより、人体検知部１２０の検知範囲ＤＲの左右方向の幅を、ボウル部２１１の左右方向の幅よりも広くすることができる。
【００６１】
例えば、複数台の小便器装置１０がトイレルームＴＲの壁面ＷＳに並べて設けられる場合、隣接する２つの小便器装置１０の配設間隔（中心間距離）は、例えば、７００ｍｍ以上１０００ｍｍ以下である。従って、上記のように検知範囲ＤＲの広がり角及び半径を設定することにより、側方に隣接する別の小便器装置１０の前方付近まで検知範囲ＤＲを広げ、人体Ｍを早期に検知することができる。このように人体検知部１２０は、上述のように、マイクロ波センサを用いることによって実現可能である。
【００６２】
制御部１１０は、人体検知部１２０の検知情報を基に、人体Ｍが検知範囲ＤＲにいるか否かを判定する。人体検知部１２０がマイクロ波センサである場合、検知情報は、人体Ｍからの反射波の受信電圧の振幅、又は周波数差から求めた速度や移動距離の積算値などである。
【００６３】
制御部１１０は、例えば、人体検知部１２０から入力された検知情報が所定の閾値以上の時に、人体Ｍが検知範囲ＤＲにいると判定する。制御部１１０は、例えば、人体検知部１２０から入力された検知情報が閾値未満の時に、人体Ｍが検知範囲ＤＲにいないと判定する。
【００６４】
ここで、人体Ｍが「検知範囲ＤＲにいる状態」とは、例えば、手や足など人体Ｍの少なくとも一部が検知範囲ＤＲの中に入っている状態である。人体Ｍが「検知範囲ＤＲにいない状態」とは、例えば、人体Ｍの全体が検知範囲ＤＲに入っていない状態である。
【００６５】
制御部１１０は、例えば、人体検知部１２０の検知状態が、検知範囲ＤＲにいない状態からいる状態に切り替わった時に、人体Ｍが検知範囲ＤＲに入ったと判定する。そして、制御部１１０は、例えば、人体検知部１２０の検知状態が、検知範囲ＤＲにいる状態からいない状態に切り替わった時に、人体Ｍが検知範囲ＤＲから出たと判定する。
【００６６】
このように、検知範囲ＤＲは、換言すれば、制御部１１０における人体検知部１２０の検知情報の閾値である。人体検知部１２０が光電センサ（赤外線センサ）である場合、人体検知部１２０の検知情報は、受光部の電圧である。人体検知部１２０が焦電センサである場合、検知情報は、人体Ｍから放出された赤外線の入射量に応じた電圧である。閾値は、人体検知部１２０の種類などに応じて適宜設定すればよい。
【００６７】
次に実施形態にかかる小便器装置１０の動作について説明する。
図５〜図９は、実施形態にかかる小便器装置の動作を例示するフローチャートである。
【００６８】
小便器装置１０は、検知範囲ＤＲに人体Ｍが入ると、初期待機状態から少流量洗浄モード（第１洗浄モード）に移行する。
少流量洗浄モードでは、人体Ｍが検知範囲ＤＲ内で検知されている間、待機状態が継続される（ステップＳ０１およびＳ０２）。
【００６９】
人体Ｍが検知範囲ＤＲ内で検知されなくなると、洗浄水供給部１４０のスプレッダ１４１からボウル部２１１への吐水が行われ、小便器２１０の洗浄が開始される（ステップＳ０３）。
小便器２１０の洗浄は、洗浄開始から所定時間Ｘの間、継続される（ステップＳ０４）。
洗浄開始から所定の時間が経過すると、洗浄水供給部１４０による洗浄が停止される（ステップＳ０５）。一例として、ステップＳ０３〜Ｓ０５の、洗浄水供給部１４０による洗浄の開始から停止まで、約０．５Ｌの真水がボウル部２１１に吐水される。
【００７０】
ステップＳ０５の後、直近の多流量洗浄モードの実行後における少流量洗浄モードの実行回数と、予め設定されていた回数と、の比較が行われる（ステップＳ０６）。少流量洗浄モードの実行回数が所定回数を超えている場合、多流量洗浄モード（第２洗浄モード）に移行する。少流量洗浄モードの実行回数が所定回数以下である場合は、第１散水洗浄モードに移行する。
なお、ステップＳ０６を省略し、少流量洗浄モードの実行回数に関する判定を行わずにステップＳ０５の後に第１散水洗浄モードに移行してもよい。
【００７１】
一方で、初期待機状態において検知範囲ＤＲ内において人体Ｍが検知されず、所定時間が経過した場合、多流量洗浄モードに移行する。なお、多流量洗浄モードへ移行する際の所定時間との比較には、小便器２１０が使用されていない時間の合計や、小便器２１０が連続して使用されていない時間などを用いることができる。
【００７２】
多流量洗浄モードでは、まず、洗浄水供給部１４０からボウル部２１１への吐水が行われ、小便器２１０の洗浄が開始される（ステップＳ１１）。洗浄水供給部１４０を用いた洗浄は、所定時間Ｙの間、継続される（ステップＳ１２）。
【００７３】
所定時間Ｙが経過すると、検知範囲ＤＲ内に人体Ｍが存在しないか、判定が行われる（ステップＳ１３）。人体Ｍが検知された場合、第１待機モードまたは第２待機モードに移行する。人体Ｍが検知されない場合は、洗浄水供給部１４０によるボウル部２１１の洗浄が終了する（ステップＳ１４）。
【００７４】
このとき、洗浄水供給部１４０からボウル部２１１へ吐水される総水量は、ステップＳ０３において洗浄水供給部１４０からボウル部２１１へ吐水される総水量よりも多い。具体的な一例を挙げると、多流量洗浄モードと少流量洗浄モードでは、洗浄水供給部１４０から吐水される単位時間あたりの水量を同じであり、多流量洗浄モードにおいて吐水される所定時間Ｙが、少流量洗浄モードにおいて吐水される所定時間Ｘよりも長い。一例として、ステップＳ１１〜Ｓ１４の、洗浄水供給部１４０による洗浄の開始から停止まで、約２．０Ｌの真水がボウル部２１１に吐水される。
【００７５】
あるいは、ステップ１３に代えて、ステップＳ１４の後のステップＳ１５において、検知範囲ＤＲ内に人体Ｍが存在しないか判定が行われてもよい。人体Ｍが検知された場合、第１待機モードまたは第２待機モードに移行する。人体Ｍが検知されない場合は、第２散水洗浄モードに移行する。
【００７６】
次に、図６を用いて、第１散水洗浄モードについて説明する。
第１散水洗浄モードに移行すると、まず、散水部１６１からボウル部２１１の内部空間への散水が行われる（ステップＳ２１）。続いて、散水が行われてから所定時間Ａが経過したか、判定される（ステップＳ２２）。所定時間Ａが経過すると、散水を停止する（ステップＳ２３）。そして、第１散水洗浄モードを終了し、初期待機状態に移行する。
【００７７】
一方で、所定時間Ａが経過する前に検知範囲ＤＲ内に人体Ｍが検知されると、散水が停止される（ステップＳ２４およびＳ２５）。散水が停止された後は、所定時間が経過したか否かの判定（ステップＳ２６）および検知範囲ＤＲ内における人体の有無の判定（ステップＳ２７）が行われる。検知範囲ＤＲ内に人体Ｍが検知された状態のまま、所定時間が経過すると、第１散水洗浄モードを終了し、初期待機状態に移行する。
【００７８】
所定時間が経過しないうちに、検知範囲ＤＲ内において人体Ｍが検知されなくなった場合、再度ステップＳ２１が実行され、散水部１６１から散水が行われる。
【００７９】
次に、図７を用いて、第２散水洗浄モードについて説明する。
第２散水洗浄モードに移行すると、まず、洗浄水散水部１６０からボウル部２１１の内部空間への散水が行われる（ステップＳ４１）。
【００８０】
続いて、散水を開始してから所定時間経過したか判定される（ステップＳ４２）。所定時間が経過すると、機能水生成部１５０が駆動され、機能水が生成される（ステップＳ４３）。このとき、洗浄水散水部１６０による散水は継続して行われているため、ステップＳ４３の実行後は、洗浄水散水部１６０から機能水が散水される。
なお、ステップＳ４２を省略し、ステップＳ４１とＳ４３を同時に実行することも可能である。
【００８１】
続いて、機能水生成部の駆動から所定時間Ｂが経過したか判定される（ステップＳ４４）。所定時間Ｂが経過した（所定時間Ｂの間機能水が散水された）場合、機能水生成部１５０を停止し（ステップＳ４５）、散水を停止する（ステップＳ４６）。そして、第２散水洗浄モードを終了し、初期待機状態に移行する。一例として、ステップＳ４３〜Ｓ４５の、機能水生成部１５０の駆動から機能水生成部１５０の停止までの間、約０．５Ｌの機能水がボウル部２１１に散水される。
なお、ステップＳ４５およびＳ４６は、同時に実行されてもよい。
【００８２】
所定時間Ｂは、例えば、図６に表した第１散水洗浄モードのステップＳ２２の所定時間Ａよりも長く設定される。これは、ステップＳ２１における洗浄水散水部１６０からの散水は、ボウル部２１１の洗浄を目的として行われるのに対して、ステップＳ４３における洗浄水散水部１６０からの機能水の散水は、ボウル部２１１やトラップ部２１３、トラップ部２１３と連通した配管の除菌を目的として行われるためである。
【００８３】
また、所定時間Ｂは、例えば、図５に表した多流量洗浄モードのステップＳ１２の所定時間Ｙよりも短く設定される。これは、ステップＳ１１における洗浄水供給部１４０からの吐水は、大流量の水によりボウル部２１１の汚れを流すのに対して、ステップＳ４３における洗浄水散水部１６０からの機能水の散水は、前述のとおり除菌を目的としており、大流量の機能水を必要とするものではないためである。また、所定時間Ｂを所定時間Ｙよりも短く設定することで、機能水生成部１５０の寿命を長期化することも可能である。
【００８４】
所定時間Ｂが経過する前に検知範囲ＤＲ内で人体Ｍが検知されると、機能水生成部が停止される（ステップＳ４７およびＳ４８）。続いて、散水が停止される（ステップＳ４９）。
なお、ステップＳ４８およびＳ４９は、同時に実行されてもよい。
【００８５】
散水が停止された後は、検知範囲ＤＲ内に人体Ｍが検知された状態で、所定時間が経過したか判定される（ステップＳ５０）。所定時間が経過したと判定されると、第２散水洗浄モードを終了し、初期待機状態に移行する。
【００８６】
所定時間が経過していない間は、検知範囲ＤＲ内で人体Ｍが検知されるか判定される（ステップＳ５１）。検知範囲ＤＲ内で人体Ｍが検知されない場合、再度ステップＳ４１が実行され、洗浄水散水部１６０から散水が行われる。
【００８７】
なお、ステップＳ５１の後にステップＳ４１が再度行われる場合、ステップＳ４４における所定時間は、例えば予め設定された時間Ｂである。あるいは、時間Ｂから、以前のステップＳ４３〜Ｓ４８までの間に機能水が散水された時間を減じた時間を、ステップＳ４４における所定時間として用いても良い。
【００８８】
次に、第１待機モードおよび第２待機モードについて、説明する。
図５に表したフローチャートにおいて、ステップＳ１３の判定結果またはステップＳ１５の判定結果に基づいて、第１待機モードまたは第２待機モードが実行される。
【００８９】
まず、第１待機モードについて、図８を用いて説明する。
第１待機モードでは、最初に、洗浄水供給部１４０によるボウル部２１１の洗浄を終了する（ステップＳ６１）。ステップＳ１５から分岐して第１待機モードへ移行した場合は、ステップＳ６１において、洗浄水供給部１４０からの吐水の停止が継続される。続いて、人体Ｍが検知された状態で所定時間が経過したか判定される（ステップＳ６２）。
【００９０】
所定時間が経過していない間は、検知範囲ＤＲ内において人体Ｍが検知されるか判定される（ステップＳ６３）。検知範囲ＤＲ内で人体Ｍが検知されない場合、第１待機モードを終了し、第２散水洗浄モードへ移行する。
【００９１】
ステップＳ６２で所定時間が経過したと判定された場合、初期待機状態へ移行する。その後、図５のフローチャートに表した少流量洗浄モードが実行されたか判定される（ステップＳ６４）。少流量洗浄モードが実行されると、少流量洗浄モードの実行回数に関わらず（ステップＳ０６の判定結果に関わらず）、第２散水洗浄モードに移行する。
【００９２】
この第１待機モードは、例えば、小便器が複数台併設されるトイレルームに、小便器装置１０が設置される場合に有効である。小便器が複数台併設される場合、人体Ｍが、他の小便器を使用するために、小便器２１０の前を通り過ぎるだけの場合がある。
【００９３】
第１待機モードによれば、ステップＳ５２およびＳ５３において、人体Ｍが所定時間の間、検知範囲ＤＲ内に検知された場合は、人体Ｍが小便器２１０を使用している可能性が高いため初期待機状態に移行する。その一方で、所定時間が経過しないうちに検知範囲ＤＲ内に人体Ｍが検知されなくなった場合は、人体Ｍは小便器２１０の前を通り過ぎただけである可能性が高いため、再度、第２散水洗浄モードを開始する。
【００９４】
従って、第１待機モードによれば、小便器２１０の前を通り過ぎるだけの人体が存在する環境においても、第２散水洗浄モードの実行間隔が延びることによる菌の繁殖を抑制し、効果的に除菌を行うことが可能となる。
【００９５】
次に、第２待機モードについて、図９を用いて説明する。
第２待機モードでは、まず、洗浄水供給部１４０によるボウル部２１１の洗浄を終了する（ステップＳ７１）。ステップＳ１５から分岐して第２待機モードへ移行した場合は、ステップＳ７１において、洗浄水供給部１４０からの吐水の停止が継続される。ステップＳ７１の後は、初期待機状態へ移行する。
【００９６】
その後、図５のフローチャートに表した少流量洗浄モードが実行されたか判定される（ステップＳ７２）。少流量洗浄モードが実行されると、少流量洗浄モードの実行回数に関わらず、第２散水洗浄モードに移行する。
【００９７】
第２待機モードは、例えば、小便器が１台、あるいは小便器および大便器が１台ずつ設置されているような、小規模なトイレルームに適している。すなわち、そのようなトイレルームでは、検知範囲ＤＲ内に入った人体Ｍが小便器２１０を使用する可能性が高い。そのため、洗浄水供給部１４０による洗浄を終了して初期待機状態に移行した後は、少流量洗浄モードに移行する可能性が高い。少流量洗浄モード後に、第２散水洗浄モードが実行されることで、機能水の散水間隔が長くなり、ボウル部２１１において菌が繁殖することを抑制できる。
【００９８】
次に、図１０〜図１３を用いて、各構成要素の動作タイミングの一例を説明する。
図１０〜図１３は、実施形態にかかる小便器装置の動作を例示するタイミングチャートである。
【００９９】
図１０は、第１散水洗浄モードのステップＳ２１〜Ｓ２６が実行され、少流量洗浄モードのステップＳ０１〜Ｓ０６が実行された後に、第１散水洗浄モードのステップＳ２１〜Ｓ２３が実行された場合を表したタイミングチャートである。
【０１００】
図１０に表した例では、時刻Ｔ０おいて、第１散水洗浄モードのステップＳ２１が実行されている。同時に時刻Ｔ０において、人体Ｍが検知されている。人体Ｍは、そのまま、所定時間検知されたため、時刻Ｔ０´において散水が停止される（ステップＳ２５）。散水が停止されたまま、所定時間が経過したため、初期待機状態に移行する。
【０１０１】
続いて、検知範囲ＤＲ内に人体Ｍが存在するため、初期待機状態から少流量洗浄モードに移行する。時刻Ｔ１において、人体Ｍが検知範囲ＤＲ内で検知されなくなると、洗浄水供給部１４０によるボウル部２１１の洗浄が開始される（ステップＳ０３）。
【０１０２】
洗浄水供給部１４０による洗浄開始から所定時間Ｘが経過すると、洗浄水供給部１４０による洗浄が終了する（ステップＳ０５）。ここでは、少流量洗浄モードが所定回数を超過しておらず、ステップＳ０６においては条件を満たさないものとする。従って、洗浄水供給部１４０による洗浄後、第１散水洗浄モードに移行する。
【０１０３】
第１散水洗浄モードに移行し、時刻Ｔ２において、洗浄水散水部１６０からボウル部２１１の内部空間に向かって散水が開始される（ステップＳ２１）。その後、人体Ｍが検知されないまま、所定時間が経過すると、時刻Ｔ３において、洗浄水散水部１６０からの散水が停止される（ステップＳ６３）。
【０１０４】
図１１は、多流量洗浄モードのステップＳ１１〜Ｓ１３が実行された後に、第２散水洗浄モードのステップＳ４１〜Ｓ５０が実行され、初期待機状態に移行する場合を表したタイミングチャートである。
【０１０５】
図１１に表した例では、時刻Ｔ０おいて、多流量洗浄モードのステップＳ１１が実行され、洗浄水供給部１４０によるボウル部２１１の洗浄が開始される。その後、人体Ｍが検知されないまま所定時間が経過し、Ｔ１において洗浄水供給部１４０による洗浄が終了する。
【０１０６】
続いて、人体Ｍが検知されないため、第２散水洗浄モードに移行し、洗浄水散水部１６０からボウル部２１１の内部空間に向かって散水が開始される（ステップＳ４１）。図１１に表した例では、ステップＳ４２における所定時間がゼロに設定されているため、洗浄水散水部１６０による洗浄開始と同時に、機能水生成部１５０が駆動され、機能水が生成される（ステップＳ４３）。機能水が洗浄水散水部１６０より散水され、人体Ｍが検知されないまま、所定時間が経過すると、洗浄水散水部１６０による洗浄および機能水生成部１５０が停止し、初期待機状態に移行する。
【０１０７】
図１２は、多流量洗浄モードのステップＳ１１〜Ｓ１３が実行された後に、第１待機モードに移行し、その後、第２散水洗浄モードのステップＳ４１〜Ｓ５０が実行され、初期待機状態に移行する場合を表したタイミングチャートである。
【０１０８】
図１２に表した例では、時刻Ｔ０おいて、多流量洗浄モードのステップＳ１１が実行され、洗浄水供給部１４０によるボウル部２１１の洗浄が開始される。その後、時刻Ｔ１において人体Ｍが検知されると、第１待機モードに移行する。第１待機モードでは、時刻Ｔ２において、洗浄水供給部１４０による洗浄を終了する（ステップＳ６１）。
【０１０９】
所定時間が経過せずに、時刻Ｔ３において人体Ｍが検知されなくなると、第２散水洗浄モードに移行する。第２散水洗浄モードでは、図１１に表した例と同様に、洗浄水散水部１６０から散水を行うと同時に、機能水生成部１５０を駆動させる。これにより、ボウル部２１１の内部空間へ、機能水が散水される。人体Ｍが検知されないまま、時刻Ｔ４まで所定時間散水が行われると、第２散水洗浄モードを終了し、初期待機状態へ移行する。
【０１１０】
図１３は、多流量洗浄モードのステップＳ１１〜Ｓ１３が実行された後に、第１待機モードへの移行、少流量洗浄モードへの移行、および第２散水洗浄モードへの移行がこの順で行われた場合を表したタイミングチャートである。
【０１１１】
図１３に表した例では、時刻Ｔ０おいて、多流量洗浄モードのステップＳ１１が実行され、洗浄水供給部１４０によるボウル部２１１の洗浄が開始される。その後、時刻Ｔ１において人体Ｍが検知されると、第１待機モードに移行する。
【０１１２】
第１待機モードでは、時刻Ｔ２において、洗浄水供給部１４０による洗浄を終了する（ステップＳ６１）。そして、人体Ｍが検知されたまま所定時間が経過すると、初期待機状態に移行する。
【０１１３】
初期待機状態においては、人体Ｍが検知されているため、少流量洗浄モードに移行する。時刻Ｔ３において、人体Ｍが検知されなくなると、洗浄水供給部１４０によるボウル部２１１の洗浄が行われる（ステップＳ０３）。時刻Ｔ４において洗浄水供給部１４０による洗浄が終了すると、ステップＳ６４において、少流量洗浄モードが実行されたと判定され、第２散水洗浄モードへ移行する。
【０１１４】
その後、第２散水洗浄モードにおいて、洗浄水散水部１６０からボウル部２１１の内部空間に向かって散水が開始されるとともに、機能水生成部１５０が駆動される（ステップＳ４１およびＳ４３）。人体Ｍが検知されないまま、時刻Ｔ５まで所定時間散水が行われると、第２散水洗浄モードを終了し、初期待機状態へ移行する。
【０１１５】
以上で説明した実施形態によれば、少流量洗浄モードにおいて、真水が洗浄水供給部１４０からボウル部２１１に吐水され、尿石などの汚れの付着が抑制される。また、第２散水洗浄モードにおいて、機能水が洗浄水散水部１６０からボウル部２１１の内部の空間に散水される。このため、ボウル部２１１における汚れの付着が抑制されるとともに、ボウル部２１１の内面に広範囲に機能水を付着させ、効果的に除菌することができる。
加えて、第２散水洗浄モードは、小便器２１０が使用される度に実行される少流量洗浄モードとは異なるタイミングで実行される。第２散水洗浄モードは、例えば、一定時間ごと、あるいは小便器２１０が所定回数使用された後に実行されるため、第２散水洗浄モードが実行される頻度は、少流量洗浄モードが実行される頻度よりも低い。
すなわち、本実施形態によれば、汚れの付着を抑制し、除菌することで、ボウル部２１１の汚れや悪臭およびトラップ部２１３における異物の体積を抑制し、小便器の衛生性を向上させることができる。また、機能水を散水することでボウル部２１１の内部空間の臭いを抑制するとともに、所定の除菌効果を有するために必要な機能水の濃度を長期間にわたって維持することが可能となる。
【０１１６】
第２散水洗浄モードにおいては、洗浄水散水部１６０から機能水が散水される所定時間Ｂ（ステップＳ４４）を、第１散水洗浄モードにおいて、洗浄水散水部１６０から洗浄水が散水される所定時間Ａ（ステップＳ２２）よりも長くすることが望ましい。第２散水洗浄モードにおいて機能水が散水される時間を長くすることで、ボウル部２１１を十分に除菌することができる。また、機能水の散水時間を長くすることで、トラップ部２１３の内部や、トラップ部２１３と連通する配管内部における機能水の濃度を高め、これらの内部も効果的に除菌することが可能となる。
【０１１７】
また、第２散水洗浄モードは、多流量洗浄モードの実行開始以降に実行されることが望ましい。すなわち、第２散水洗浄モードは、多流量洗浄モードと同時、または多流量洗浄モードが実行された後に、実行されることが望ましい。こうすることで、洗浄水供給部１４０からの吐水により、ボウル部２１１やトラップ部２１３の汚れを流した後に、機能水を散水することができるため、より効果的に除菌することが可能となる。
【０１１８】
この効果は、第２散水洗浄モードを、多流量洗浄モードが完了した後に実行することでより顕著となる。洗浄水供給部１４０からの洗浄水の吐水が完了した後に、機能水を散水することで、機能水が洗浄水供給部１４０からの洗浄水で流されてしまうことを回避することができる。これにより、ボウル部２１１の内面により長い時間機能水を散水することが可能になるとともに、ボウル部２１１の内面を機能水によりコーティングするとともにトラップ部２１３の内部を濃度の高い機能水で封止することが可能となる。このため、第２散水洗浄モードが完了した後においても、ボウル部２１１およびトラップ部２１３における菌の繁殖が抑制される。
【０１１９】
また、第２散水洗浄モードにおいて、人体Ｍが検知された場合に、洗浄水散水部１６０からの散水を行わない（ステップＳ４９）ことで、水が人体Ｍに掛かってしまう可能性を低減することが可能となる。
【０１２０】
このとき、人体Ｍが検知範囲ＤＲ内で検知されなくなった場合は、再び、洗浄水散水部１６０からの散水が開始されることが望ましい（ステップＳ４１）。散水を再度行うことで、ボウル部２１１およびトラップ部２１３の除菌を十分に行うことができるためである。
【０１２１】
図１４は、実施形態の変形例にかかる小便器装置の要部構成を表すブロック図である。
変形例にかかる小便器装置１１は、図１に表した小便器装置１０との比較において、機能水生成部１５１をさらに備える点で相違する。
【０１２２】
機能水生成部１５１は、流路切替弁１３０と洗浄水供給部１４０との間に設けられている。機能水生成部１５１を駆動させることで、洗浄水供給部１４０に機能水を供給することができる。機能水生成部１５１の構成は、機能水生成部１５０の構成と同じでも良いし、異なっていても良い。また、機能水生成部１５１で生成される機能水の機能は、機能水生成部１５０で生成される機能水の機能と同じでも良いし、異なっていても良い。
【０１２３】
小便器装置１１の動作として、図５〜図９のフローチャートで表されるプログラムを実行することができる。
また、小便器装置１１の場合、図５に表したフローチャートの、ステップＳ１３の判定結果およびステップＳ１５の判定結果に基づいて、第１待機モードおよび第２待機モードに変えて、図１５に表した洗浄継続モードを実行することも可能である。
【０１２４】
この洗浄継続モードについて、図１５を用いて説明する。
図１５は、実施形態の変形例にかかる小便器装置の動作を例示するフローチャートである。
【０１２５】
洗浄継続モードでは、まず、洗浄水供給部１４０によるボウル部２１１の洗浄が開始される（ステップＳ８１）。あるいは、ステップＳ１３から分岐して洗浄継続モードへ移行した際は、洗浄水供給部１４０による洗浄が継続される。
【０１２６】
続いて、機能水生成部１５１を駆動する（ステップＳ８２）。これにより、機能水が洗浄水供給部１４０からボウル部２１１へ吐水される。その後、機能水による洗浄を開始してから所定時間が経過したか判定される（ステップＳ８３）。
【０１２７】
所定時間が経過した場合、機能水生成部１５１を停止させ（ステップＳ８４）、洗浄水供給部１４０による洗浄を終了する（ステップＳ８５）。そして、洗浄継続モードが終了し、初期待機状態に移行する。
【０１２８】
ここで、図１６は、実施形態の変形例にかかる小便器装置の動作を例示するタイミングチャートである。
具体的には、図１６は、多流量洗浄モードのステップＳ１１〜Ｓ１３が実行された後に、洗浄継続モードに移行する場合を表したタイミングチャートである。
【０１２９】
図１６に表した例では、時刻Ｔ０おいて、多流量洗浄モードのステップＳ１１が実行され、洗浄水供給部１４０によるボウル部２１１の洗浄が開始される。その後、時刻Ｔ１において人体Ｍが検知されると、洗浄継続モードに移行する。
【０１３０】
洗浄継続モードでは、洗浄水供給部１４０による洗浄が停止せずに継続される（ステップＳ８１）。そして、洗浄水供給部１４０からの吐水が行われたまま、時刻Ｔ２において機能水生成部１５１が駆動される（ステップＳ８２）。洗浄水供給部１４０からの機能水による洗浄が行われ、時刻Ｔ２から所定時間が経過して時刻Ｔ４になると、機能水生成部１５１の停止および洗浄水供給部１４０による洗浄が停止される（ステップＳ８４およびＳ８５）。その後は、洗浄継続モードを終了し、初期待機状態へ移行する。
【０１３１】
洗浄継続モードは、例えば、小便器装置１０が、使用される頻度が高いトイレルームに設置される場合に適している。本実施形態では、図７のフローチャートのステップＳ４７に表されるように、小便器２１０の近くに人体Ｍが検知される場合は、機能水の散水が行われない。従って、小便器２１０の近くに人体Ｍが高い頻度で存在する場合、機能水の散水が十分に実行されず、ボウル部２１１およびトラップ部２１３の除菌が不十分となる可能性がある。
【０１３２】
この洗浄継続モードによれば、機能水生成部１５１を駆動させ、洗浄水供給部１４０から機能水を吐水させることが可能となる。洗浄水供給部１４０から機能水を吐水させることで、洗浄水散水部１６０から十分に散水できない環境においても、ボウル部２１１およびトラップ部２１３を効果的に除菌することが可能となる。
【０１３３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、小便器が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１３４】
１０、１１ 小便器装置、  １００ 給水機能部、  １１０ 制御部、  １２０ 人体検知部、  １３０ 流路切替弁、  １４０ 洗浄水供給部、  １４１ スプレッダ、  １４３ スプレッダ流路、  １４５ 吐水口、  １５０、１５１ 機能水生成部、  １６０ 洗浄水散水部、  １６１ 散水部、  １６１ａ 散水孔、  １６３ チューブ、  ２１０ 小便器、  ２１１ ボウル部、  ２１１ａ 立位面、  ２１１ｂ ボウル面、  ２１１ｃ 背面、  ２１３ トラップ部、  ＤＲ 検知範囲、  Ｍ 人体、  ＮＡ 非散水領域、  ＳＡ 散水領域、  ＴＲ トイレルーム、  ＷＡ 吐水領域、  ＷＳ 壁面
【図１】
0006677899.tif 000002
【図２】
0006677899.tif 000003
【図３】
0006677899.tif 000004
【図４】
0006677899.tif 000005
【図５】
0006677899.tif 000006
【図６】
0006677899.tif 000007
【図７】
0006677899.tif 000008
【図８】
0006677899.tif 000009
【図９】
0006677899.tif 000010
【図１０】
0006677899.tif 000011
【図１１】
0006677899.tif 000012
【図１２】
0006677899.tif 000013
【図１３】
0006677899.tif 000014
【図１４】
0006677899.tif 000015
【図１５】
0006677899.tif 000016
【図１６】
0006677899.tif 000017